(57)【要約】  【課題】冷凍室内の最下段部へ冷気を到達しやすくして庫内の温度分布を均一化し、食品保鮮を向上させた冷凍庫を提供すること。  【解決手段】冷凍庫本体１０１の前面部に設けられたドア１０５の内側面に数本の溝１１６を上下方向に設けることにより、冷凍室１０６の下部への風路を十分に確保することできて冷凍室１０６の最下段部へ冷気を到達しやすくすることになり、冷凍室１０６内の温度分布を均一化して、食品保鮮を向上させることができる冷凍庫を提供するものである。【選択図】図１
2006023038.tif 000002
【特許請求の範囲】
【請求項１】
幅より高さ寸法が大きく、前面を間口とした１ドア式の間接冷却式冷凍庫において、複数の棚及びケースを有し、ドアの内側面に数本の溝を上下方向に設けることを特徴とする冷凍庫。
【請求項２】
棚の前後部へスリット穴、ケース底部へスリット穴を設けたことを特徴とする請求項１に記載の冷凍庫。
【請求項３】
ドアの内側面の冷凍室最下段部と平行位置へ土手を設け、最下段のケース前面部へスリット穴を設けたことを特徴とする請求項１に記載の冷凍庫。
【請求項４】
冷凍室最下段部と機械室背面との間へ真空断熱材を設けたことを特徴とする請求項１に記載の冷凍庫。
【請求項５】
ドアの内側面の冷凍室最上段部と平行位置へ金属プレートを配設することを特徴とする請求項１に記載の冷凍庫。
【請求項６】
冷凍室上段部の側面へ放熱管を配設しないことを特徴とする請求項１に記載の冷凍庫。
【請求項７】
冷凍室上段部の側面へ真空断熱材を配設することを特徴とする請求項１に記載の冷凍庫。
【発明の詳細な説明】
【技術分野】
【０００１】
本発明は、間接冷却式冷凍庫に関するものである。
【背景技術】
【０００２】
近年、各家庭へは冷凍冷蔵庫が普及し２台目として冷凍庫を購入する家庭が増加している（例えば、特許文献１参照）。
【０００３】
図８の（ａ）は従来の冷凍庫の側断面図である。（ｂ）は従来の冷凍庫の側面図である。
【０００４】
図８おいて、８０１は冷凍庫本体であり、冷凍庫８０１の下方部の機械室８０２へ圧縮機８０３が設けられ、冷凍庫８０１の側面、背面、天面、底面等に設けられた放熱器８０４が配設されている。冷凍庫本体８０１の前面にはドア８０５があり、ドア８０５の中には冷凍室８０６が構成されている。冷凍室８０６の奥へはインナーダクト８０７により、蒸発器８０８、送風機８０９が区分されている。蒸発器８０８の上部へ送風機８０９が配設されており、前面部へはファンガード８１０がある。冷凍室８０６内へは複数の棚８１１及び複数のケース８１２で構成されている。圧縮機８０３の発停は、冷凍室８０６の下段の吸い込み風路内に庫内温度制御手段８１５により目標の設定温度に到達すれば圧縮機８０３は停止する。
【０００５】
以上のように構成された冷凍庫について、以下その冷却風路動作を説明する。
【０００６】
冷却風路の構成は、冷凍室８０６の最下段部に吸い込み口８１３があり、吸い込み口８１３から吸い込まれた空気は、蒸発器８０８を通り冷却され送風機８０９から冷凍室８０６の各段へ吹き出し口８１４から空気が送られ食品を冷却する。
【特許文献１】特開平０９−２８０７１５号公報
【発明の開示】
【発明が解決しようとする課題】
【０００７】
しかしながら、上記従来の冷凍庫の風路構成では、冷凍室８０６の上部から下部へ順次冷気が吹き出されていくため、冷凍室８０６の最下段部へ冷気が到達しにくいため、冷凍室８０６の最下段部の温度が高く庫内の温度分布が不均一であり、食品保鮮の点で非常に悪いという欠点を有していた。
【０００８】
本発明は従来の課題を解決するもので、冷凍室の最下段部へ冷気を到達しやすくし庫内の温度分布を均一化し、食品保鮮を向上させた冷凍庫を提供することを目的とする。
【課題を解決するための手段】
【０００９】
本発明の冷凍庫は、ドアの内側面に数本の溝を上下方向に設けることで、冷凍室の下部への風路を十分に確保することで冷凍室の最下段部へ冷気を到達しやすくし庫内の温度分布を均一化することができる。
【発明の効果】
【００１０】
本発明の冷凍庫は、ドアの内側面に数本の溝を上下方向に設けることで、冷凍室の下部への風路を十分に確保することで冷凍室の最下段部へ冷気を到達しやすくし庫内の温度分布を均一化し、食品保鮮を向上させることができる。
【発明を実施するための最良の形態】
【００１１】
請求項１に記載の発明は、幅より高さ寸法が大きく、前面を間口とした１ドア式の間接冷却式冷凍庫において、複数の棚及びケースを有し、ドアの内側面に数本の溝を上下方向に設けることで、冷凍室の下部への風路を十分に確保することで冷凍室の最下段部へ冷気を到達しやすくし庫内の温度分布を均一化し、食品保鮮を向上させることができる。
【００１２】
請求項２に記載の発明は、請求項１に記載の発明に、さらに棚の前後部へスリット穴、ケース底部へスリット穴を設けたことで、各棚及び各ケースへ到達した冷気が下部へ循環しやすくすることで冷凍室の最下段部へ冷気を到達しやすくし庫内の温度分布を均一化し、食品保鮮を向上させることができる。
【００１３】
請求項３に記載の発明は、請求項１に記載の発明に、さらにドアの内側面の冷凍室最下段部と平行位置へ土手を設け、最下段のケース前面部へスリット穴を設けたことで、冷凍室の最下段部へ冷気が到達しやすくし、また最下段部のケース内へ冷気を導きやすくし庫内の温度分布を均一化し、食品保鮮を向上させることができる。
【００１４】
請求項４に記載の発明は、請求項１に記載の発明において、さらに冷凍室最下段部と機械室背面との間へ真空断熱材を設けたことで、機械室からの侵入熱を極力少なくし庫内の温度分布を均一化し、食品保鮮を向上させ、消費電力を低減することができる。
【００１５】
請求項５に記載の発明は、請求項１に記載の発明において、さらにドアの内側面の冷凍室最上段部と平行位置へ金属プレートを配設することで、圧縮機の停止中冷却を保持することで、圧縮機の停止中に温度上昇を抑制し庫内の温度分布を均一化し、食品保鮮を向上させることができる。
【００１６】
請求項６に記載の発明は、請求項１に記載の発明において、さらに冷凍室上段部の側面へ放熱管を配設しないことで、冷凍室の最上段部の温度変動幅を抑制し、温度分布を均一化し、食品保鮮を向上させ、消費電力を低減することができる。
【００１７】
請求項７に記載の発明は、請求項１に記載の発明において、さらに冷凍室上段部の側面へ真空断熱材を配設することで、放熱器からの侵入熱を低減することで、冷凍室の最上段部の温度変動幅を抑制し、温度分布を均一化し、消費電力を低減することができる。
【００１８】
以下、本発明による冷凍庫の実施の形態について、図面を参照しながら説明する。なお、この実施の形態によってこの発明が限定されるものではない。
【００１９】
（実施の形態１）
図１の（ａ）は本発明による冷凍庫の実施の形態１の側面図である。（ｂ）は本発明による冷凍庫の実施の形態１の側断面図である。（ｃ）は本発明による冷凍庫の実施の形態１のドアの正面図である。（ｄ）は本発明による冷凍庫の実施の形態１のドアの断面図である。
【００２０】
図１おいて、１０１は冷凍庫本体であり、本体の幅Ｘと高さＹの関係はＹ大なりＸである。冷凍庫１０１の下方部の機械室１０２へ圧縮機１０３が設けられ、冷凍庫１０１の側面、背面、天面、底面等に設けられた放熱器１０４が配設されている。冷凍庫本体１０１の前面にはドア１０５があり、ドア１０５の中には冷凍室１０６が構成されている。冷凍室１０６の奥へはインナーダクト１０７により、蒸発器１０８、送風機１０９が区分されている。蒸発器１０８の上部へ送風機１０９が配設されており、前面部へはファンガード１１０がある。冷凍室１０６内へは複数の棚１１１及び複数のケース１１２で構成されている。圧縮機１０３の発停は、冷凍室１０６の下段の吸い込み風路内に庫内温度制御手段１１５により目標の設定温度に到達すれば圧縮機１０３は停止する。
【００２１】
以上のように構成された冷凍庫について、以下その冷却風路動作を説明する。
【００２２】
冷却風路の構成は、冷凍室１０６の最下段部に吸い込み口１１３があり、吸い込み口１１３から吸い込まれた空気は、蒸発器１０８を通り冷却され送風機１０９から冷凍室１０６の各段へ吹き出し口１１４から空気が送られる。吹き出された空気の主流はドア１０５の内側面の溝１１６を通り冷凍室１０６の各段へ送られる。この十分な風路のため最下段まで十分冷気が到達する。
【００２３】
したがって、冷凍室１０６の最下段まで冷気を到達しにくいという問題を解決出来るため、冷凍室１０６の最下段部へ冷気を到達しやすくし庫内の温度分布を均一化し、食品保鮮を向上させることができる。
【００２４】
（実施の形態２）
図２の（ａ）は本発明による冷凍庫の実施形態２の棚の平面図である。（ｂ）は本発明による冷凍庫の実施形態２の棚の断面図である。（ｃ）は本発明による冷凍庫の実施形態２のケースの平面図である。（ｄ）は本発明による冷凍庫の実施形態２のケースの断面図である。
【００２５】
図２において、棚２０１の前後部へスリット２０３をケース２０２の底の前後部へスリット２０３を設ける。図１において、冷凍室１０６の各棚１１１と各ケース１１２を図２の棚２０１とケース２０２にすることにより、各棚２０１及び各ケース２０２へ到達した冷気がスリット２０３を通り下部へ循環しやすくすることが出来る。
【００２６】
したがって、冷凍室１０６の最下段まで冷気を到達しにくいという問題を解決出来るため、冷凍室１０６の最下段部へ冷気を到達しやすくし庫内の温度分布を均一化し、さらに食品保鮮を向上させることができる。
【００２７】
（実施の形態３）
図３の（ａ）は本発明による冷凍庫の実施形態３のドアの正面図である。（ｂ）は本発明による冷凍庫の実施形態３のドアの縦断面図である。（ｃ）は本発明による冷凍庫の実施形態３のドアの横断面図である。（ｄ）は本発明による冷凍庫の実施形態３のケースの平面図である。（ｅ）は本発明による冷凍庫の実施形態３のケースの断面図である。図３に示すドア３０１と最下段部のケース３０３の構成とする。冷凍室１０６の最下段部と平行位置のドア３０１の内側面へ土手３０２を設け、最下段部のケース３０３の前面へスリット３０４を設けることで、最下段部のケース内へ冷気を導きやすくすることが出来る。
【００２８】
したがって、冷凍室１０６の最下段まで冷気を到達しにくいという問題、最下段部のケース内へ冷気を導きにくいという問題を解決できるため、庫内の温度分布を均一化し、さらに食品保鮮を向上させることができる。
【００２９】
（実施の形態４）
図４の（ａ）は本発明による冷凍庫の実施形態４の側断面図である。（ｂ）は本発明による冷凍庫の実施形態４のドアの正面図である。（ｃ）は本発明による冷凍庫の実施形態４のドアの断面図である。
【００３０】
冷凍室１０６の最下段部と機械室１０２背面との間へ真空断熱材４０１を設けたことで、機械室１０２からの侵入熱を極力少なくすることができる。
【００３１】
したがって、冷凍室１０６の最下段部の温度分布が悪いという問題を軽減できるため、庫内の温度分布を均一化し、食品保鮮を向上させ、消費電力を低減することができる。
【００３２】
（実施の形態５）
図５の（ａ）は本発明による冷凍庫の実施形態５のドアの正面図である。（ｂ）は本発明による冷凍庫の実施形態５のドアの縦断面図である。
【００３３】
ドア５０１は、内側面を冷凍室１０６最上段部と平行位置へ金属プレート５０２を配設することで、圧縮機の停止中冷却を保持することで、圧縮機の停止中に温度上昇を抑制することができる。
【００３４】
したがって、冷凍室最上段部の温度変動幅が大きいとい問題を解決できるため、さらに庫内の温度分布を均一化し、食品保鮮を向上させることができる。
【００３５】
（実施の形態６）
図６の（ａ）は本発明による冷凍庫の実施形態６の側断面図である。（ｂ）は本発明による冷凍庫の実施形態６の側面図である。
【００３６】
放熱器６０１は、冷凍室１０６の上段部の側面へ放熱管を配設しないことで、放熱器６０１からの侵入熱を極力少なく出来る。
【００３７】
したがって、冷凍室１０６最上段部の温度変動幅が大きいとい問題を解決できるため、さらに庫内の温度分布を均一化し、食品保鮮を向上させ、消費電力の低減を図ることができる。
【００３８】
（実施の形態７）
図７の（ａ）は本発明による冷凍庫の実施形態７の側断面図である。（ｂ）は本発明による冷凍庫の実施形態７の側面図である。
【００３９】
冷凍室１０６の側面と放熱器１０４の間へ真空断熱材７０１を設けたことで、放熱器１０４からの侵入熱を極力少なくすることができる。
【００４０】
したがって、冷凍室１０６の最上段部の温度分布が悪いという問題を軽減できるため、放熱器１０４からの侵入熱を極力少なくすることで、庫内の温度分布を均一化し、食品保鮮を向上させ、消費電力を低減することができる。
【産業上の利用可能性】
【００４１】
以上のように、本発明にかかる冷凍庫の温度分布改善は、風路確保及び侵入熱量低減であり、冷凍庫以外の冷凍機器等の用途にも適用出来る。
【図面の簡単な説明】
【００４２】
【図１】（ａ）は本発明による冷凍庫の実施の形態１の側面図（ｂ）は本発明による冷凍庫の実施の形態１の側断面図（ｃ）は本発明による冷凍庫の実施の形態１のドアの正面図（ｄ）は本発明による冷凍庫の実施の形態１のドアの断面図
【図２】（ａ）は本発明による冷凍庫の実施形態２の棚の平面図（ｂ）は本発明による冷凍庫の実施形態２の棚の断面図（ｃ）は本発明による冷凍庫の実施形態２のケースの平面図（ｄ）は本発明による冷凍庫の実施形態２のケースの断面図
【図３】（ａ）は本発明による冷凍庫の実施形態３のドアの正面図（ｂ）は本発明による冷凍庫の実施形態３のドアの縦断面図（ｃ）は本発明による冷凍庫の実施形態３のドアの横断面図（ｄ）は本発明による冷凍庫の実施形態３のケースの平面図（ｅ）は本発明による冷凍庫の実施形態３のケースの断面図
【図４】（ａ）は本発明による冷凍庫の実施形態４の側断面図（ｂ）は本発明による冷凍庫の実施形態４のドアの正面図（ｃ）は本発明による冷凍庫の実施形態４のドアの断面図
【図５】（ａ）は本発明による冷凍庫の実施形態５のドアの正面図（ｂ）は本発明による冷凍庫の実施形態５のドアの縦断面図
【図６】（ａ）は本発明による冷凍庫の実施形態６の側断面図（ｂ）は本発明による冷凍庫の実施形態６の側面図
【図７】（ａ）は本発明による冷凍庫の実施形態７の側断面図（ｂ）は本発明による冷凍庫の実施形態７の側面図
【図８】（ａ）は従来の冷凍庫の側断面図（ｂ）は従来の冷凍庫の側面図
【符号の説明】
【００４３】
１１６  溝
２０３  スリット
３０２  土手
４０１  真空断熱材
５０２  金属プレート
６０１  放熱器
【図１】
2006023038.tif 000003
【図２】
2006023038.tif 000004
【図３】
2006023038.tif 000005
【図４】
2006023038.tif 000006
【図５】
2006023038.tif 000007
【図６】
2006023038.tif 000008
【図７】
2006023038.tif 000009
【図８】
2006023038.tif 000010